(57)【要約】【課題】刺繍糸が具える豊富な色合いを十分に活かし、反射光の美しいグラデーション効果やホログラム効果を具えることにより装飾性に優れるとともに、釣り竿の先端部であってもその撓りにも装飾性が損なわれることなく、耐摩耗性、化学薬品耐性、耐久性にも優れた装飾丸棒を提供する。【解決手段】平滑な外周面を有する概ね３０ｍｍφ以下の細径の丸棒の外周面に、断面が扁平な刺繍糸の扁平な面を該外周面に捻れることなく密着させるとともに該刺繍糸同士が重なることなく隙間なく巻回し、巻回した前記刺繍糸の上から透明な合成樹脂塗料を塗布して合成樹脂層を形成する、構成とした。【選択図】図１
2020093391.tif 000002
【特許請求の範囲】
【請求項１】
平滑な外周面を有する細径の丸棒に、断面が扁平な刺繍糸の扁平な面を該外周面に捻れることなく密着させるとともに該刺繍糸同士が重なることなく隙間なく巻回し、
巻回した前記刺繍糸の上から透明な合成樹脂塗料を塗布して合成樹脂層を形成した、ことを特徴とする装飾丸棒。
【請求項２】
前記刺繍糸は、中心軸を中心に回転する前記丸棒に弛みのないように保持されて該丸棒の回転軸に直交する方向よりも僅かに巻回済み側に傾けた状態で送り出されて巻回される、ことを特徴とする請求項１に記載の飾丸棒。
【請求項３】
前記丸棒の径は概ね３０ｍｍφ以下であり、前記刺繍糸の扁平な面の幅は略０．３ｍｍである、ことを特徴とする請求項１または請求項２に記載の装飾丸棒。
【請求項４】
前記合成樹脂塗料はエポキシ樹脂系塗料である、ことを特徴とする請求項１ないし請求項３のいずれか記載の装飾丸棒。
【発明の詳細な説明】
【技術分野】
【０００１】
本発明は、刺繍糸で装飾を施した装飾丸棒に関する。
【背景技術】
【０００２】
従来から、新体操に使用されるリボンスティックや釣り竿には装飾が施されていて、その装飾方法の一つとして、リボンスティックや釣り竿の丸棒部分に色糸を巻き付けることが行われている。リボンスティックに関しては、非特許文献１や非特許文献２に掲載のものがあり、釣り竿に関しては、特許文献１や特許文献２に公開されている技術がある。
【０００３】
非特許文献１や非特許文献２に掲載のリボンスティックの装飾は、細長い円錐台状の棒に色糸を巻き付け、巻き付けた色糸のグラデーション効果を装飾として利用しているものである。また、特許文献１に開示の技術は「多量の糸止め塗料を用いることなく、装飾帯状体を強固に固定して、その解れを防止し、趣のある重厚な外観を有する装飾釣具を提供する。」ことを課題としていて、その解決手段を「熱硬化性樹脂を含浸した補強繊維プリプレグシートを芯金に捲回して加圧・焼成して形成された釣具の外周面に装飾用パイプが装着されている。装飾用パイプは、合成樹脂にて形成された管状体の外周面に装飾帯状体を螺旋状に捲回した後に、該帯状体の表面から糸止め処理を施して任意の長さに切断することによって形成される。」としている。そして、特許文献２に開示の技術は「製造作業の簡易化を図り、かつ意匠的に装飾効果の大きな積層管を提供する。」ことを課題としていて、その解決手段を「釣り竿等の積層管の管体外周に所定長さの高輝度シートを設け、高輝度シートの外側に装飾糸又は装飾テープを螺旋状又は綾巻き状に巻回した装飾巻回層を設け、その外側に透光性保護層を設ける。」としている。
【先行技術文献】
【非特許文献】
【０００４】
【非特許文献１】https://www.chacott-jp.com/about/info/notice/detail008388.html
【非特許文献２】http://www.sasakisports-onlineshop.jp/category/RG01_03/M781H.html
【特許文献】
【０００５】
【特許文献１】特開１９９９−２８９９２３号公報
【特許文献２】特開２００２−００１８４９号公報
【発明の概要】
【発明が解決しようとする課題】
【０００６】
しかしながら、非特許文献１や非特許文献２に掲載のリボンスティックでは丸棒に縒り糸を巻回していることから、見た目に表面の凹凸感があって、スッキリした深い色合いを感じさせていない。また、特許文献１に開示の技術は丸棒に「装飾帯状体」を巻回しているが、この装飾帯状体とは「天然の籐やナイロン、ポリプロピレン、ポリ塩化ビニリデン等の合成素材によって籐に類似した外観を有する帯状体」である（［０００２］の記載）ことから、装飾も大振りで釣り竿の手元部分の太い径のところに適したものあり、釣り竿の先端の径が数ｍｍ程度の丸棒に使用することは難しいであろう。そして、特許文献２では、「高輝度シートを設け、該高輝度シートの外側に装飾糸又は装飾テープを螺旋状又は綾巻き状に巻回した装飾巻回層を設け」（請求項１の記載）としていることから、装飾糸又は装飾テープは「高輝度シートの剥離や位置ズレを防止する」役割を担うに過ぎない（段落｛００１６｝の記載の要旨）。
【０００７】
そこで、本願発明は、刺繍糸が具える豊富な色合いを十分に活かし、反射光の美しいグラデーション効果やホログラム効果を具えることにより装飾性に優れるとともに、釣り竿の先端部であってもその撓りにも装飾性が損なわれることなく、耐摩耗性、化学薬品耐性、耐久性にも優れた装飾丸棒を提供する、ことを目的とする。
【課題を解決するための手段】
【０００８】
上記目的を達成するため、本願請求項１に係る装飾丸棒は、平滑な外周面を有する細径の丸棒に、断面が扁平な刺繍糸の扁平な面を該外周面に捻れることなく密着させるとともに該刺繍糸同士が重なることなく隙間なく巻回し、巻回した前記刺繍糸の上から透明な合成樹脂塗料を塗布して合成樹脂層を形成した、ことを特徴としている。なお、丸棒には中空管および中実管を含むとともに、徐々に一定の割合を以て径が細くなる細長い円錐台状の棒も含まれる。
また、請求項２に係る装飾丸棒は、請求項１に記載の装飾丸棒であって、前記刺繍糸は、中心軸を中心に回転する前記丸棒に弛みのないように保持されて該丸棒の回転軸に直交する方向よりも僅かに巻回済み側に傾けた状態で送り出されて巻回される、ことを特徴としている。
そして、請求項３に係る装飾丸棒は、請求項１または請求項２に記載の装飾丸棒であって、前記丸棒の径は概ね３０ｍｍφ以下であり、前記刺繍糸の扁平な面の幅は略０．３ｍｍである、ことを特徴としている。
さらに、請求項４に係る装飾丸棒は、請求項１ないし請求項３のいずれかに記載の装飾丸棒であって、前記合成樹脂塗料はエポキシ樹脂系塗料である、ことを特徴としている。
【発明の効果】
【０００９】
上記構成により、本願発明は以下の効果を奏する。
（１）扁平断面の刺繍糸の扁平な面を細径の丸棒の外周面に捻れることなく密着させ、刺繍糸同士が重なることなく、かつ、隙間なく巻回させているため、刺繍糸が具える豊富な色合いを十分に活かし、反射光の美しいグラデーション効果やホログラム効果を得ることができる。
（２）中心軸を中心に回転する丸棒に刺繍糸を巻回するときには、刺繍糸を弛みのないように保持し、かつ、丸棒の回転軸に直交する方向よりも僅かに巻回済み側に傾けた状態を維持することにより、刺繍糸は丸棒の外周面に捻れることなく重なることなく密着し、かつ、刺繍糸同士を隙間なく巻回させることができる。
（３）巻回した刺繍糸の上から透明な合成樹脂塗料を塗布して合成樹脂層を形成することにより、刺繍糸の（１）に示す効果を妨げることなく、かつ、刺繍糸は丸棒から解けることなく強固に密着する。
（４）出願人の知見では、丸棒の径が３０ｍｍφを超えるあたりから巻回する際に刺繍糸が蛇行しやすくなるので、概ね３０ｍｍφとすることにより、蛇行することを防止することができる。
（５）特許文献２で使用する装飾帯状体は、数ｍｍ幅、あるいは十数ｍｍ幅のものであろうと考えられる一方、本願発明で使用する刺繍糸の扁平な面の糸幅は略０．３ｍｍであって、糸幅は１／１０以下のものである。そのため、装飾も精巧で緻密なものとなる。
（６）合成樹脂塗料にエポキシ樹脂系塗料を使用することにより、耐摩耗性、化学薬品耐性、耐久性が高くなるとともに、硬化後であってもエポキシ樹脂は柔軟性を有することから、扁平断面の刺繍糸の横方向の伸縮を妨げることがなく、丸棒の撓りにも扁平断面の刺繍糸の横方向が伸縮するので、刺繍糸間に隙間が生ずることがなく、膨らみも生じない。
【図面の簡単な説明】
【００１０】
【図１】図１は実施例に係る装飾丸棒の長さ方向の縦断面の一部分を示す断面概念図である。
【図２】図２は実施例に係る丸棒に刺繍糸を巻回しているときの一部分を示す平面概念図である。
【発明を実施するための形態】
【００１１】
本発明を実施するための形態に係る実施例について、図１および図２を参照して説明する。なお、図１および図２において、符号１は実施例に係る装飾丸棒、符号１０は丸棒、符号２０は刺繍糸、符号３０は合成樹脂層、符号ｗは刺繍糸２０の糸幅、符号αは丸棒１０に対する刺繍糸２０の交差角度、１点鎖線は丸棒１０の回転軸、円形の矢印は丸棒１０の回転方向、である。
【００１２】
まず、装飾丸棒１の構成について、主に図１を参照して説明する。
【００１３】
装飾丸棒１は、丸棒１０と、丸棒１０の表面を巻回する刺繍糸２０と、刺繍糸２０の表面に塗布されて形成される合成樹脂層３０と、から構成される。
【００１４】
丸棒１０は中空のものであっても良いし中実のものであっても良く、さらに表面が平滑であればその材質を問わないし、その径が徐々に、かつ、緩やかに縮小しあるいは拡大する細長い円錐台状を呈していても構わない。また、丸棒１０の直径は、概ね１ｍｍφないし３０ｍｍφのものが最適である。
【００１５】
刺繍糸２０は市販の扁平断面のもので、豊富な色合いを具え、反射光の美しいグラデーション効果やホログラム効果の有るものが、装飾上から見て好ましい。また、扁平断面の糸幅（ｗ）は、入手のし易さや扱い易さの観点から０．２ｍｍないし０．３ｍｍのものが好ましく、実施例で使用する糸幅（ｗ）は０．２６ｍｍである。さらに、刺繍糸２０は円筒状の糸巻きに巻回されている市販のものが好ましいが、その理由は後述する。
そして、刺繍糸２０は丸棒１０の表面を螺旋状に巻回して、扁平な面が丸棒１０の表面に密着するとともに、刺繍糸２０同士は互いに重なり合うことなく密着している。
【００１６】
刺繍糸２０の表面を被覆する合成樹脂層３０は、透明なエポキシ樹脂系の塗料を塗布されて形成される。透明なエポキシ樹脂系の塗料を使用することにより、刺繍糸が具える豊富な色合いを十分に活かし、反射光の美しいグラデーション効果やホログラム効果を妨げることなく、エポキシ樹脂自体の耐摩耗性、化学薬品耐性および耐熱性等の効果、さらにはエポキシ樹脂の硬化後の柔軟性を有する効果も発揮させることができる。
【００１７】
つぎに、装飾丸棒１の製作工程の例について、図２を参照して説明する。
【００１８】
（１）必要に応じて丸棒１０を＃６００〜＃８００の極細目の耐水ペーパーで水研ぎし、表面を研磨して平滑にするとともに、表面の油脂分等の付着物を除去する。この作業により、丸棒１０に対する刺繍糸２０の密着性が向上する。
（２）丸棒１０に刺繍糸２０を仮止めする。
（３）丸棒１０をその中心軸を中心にして回転させながら（図２では、図の右側から見て右回転している。）に、弛みのないように、かつ過度の張力（Ｆ）を加えないように刺繍糸２０を送り出す。このとき刺繍糸２０は丸棒１０の回転軸に直交する方向よりも僅かに巻回済み側に傾けた状態（α＜９０°）とすることにより、刺繍糸２０同士が重ならず、かつ、隙間が生じないようになる。
【００１９】
ここで、上記（３）の工程において出願人が採用した「刺繍糸２０に過度の張力を生じさせない巻回方法」を説明すると、
（ア）刺繍糸２０は円筒状の糸巻きに巻回されている市販のものを使用する。糸巻きの中空部分に回転軸となる丸棒を通して自由に糸巻きが回転するようにし、刺繍糸２０の巻回方向（円筒の糸巻きに直交する方向）に沿って糸を送り出すようにする。これにより刺繍糸２０に捩れが生じない。また、このときの張力（Ｆ）は概ね５Ｎ以下となるようにする。
（イ）送り出された刺繍糸２０は指先でリードするが、この際、刺繍糸２０が指の皮膚に引っ掛からないようにするため、滑り止めのない布製の手袋をはめて作業する。
【００２０】
上記工程（２）に引き続いて、
（３）刺繍糸２０の巻回が完了したら刺繍糸２０の終端部を仮止めする。
（４）巻回した刺繍糸２０の上からエポキシ樹脂系の塗料を塗布して硬化させることにより、合成樹脂層３０が形成される。
以上で、装飾丸棒１の製作は完了する。
【符号の説明】
【００２１】
１  実施例に係る装飾丸棒
１０  丸棒
２０  刺繍糸
３０  合成樹脂層
【図１】
2020093391.tif 000003
【図２】
2020093391.tif 000004